(57)【要約】【課題】高い剛性を有する植栽基盤を提供する。【解決手段】植栽基盤１０は、複数の植栽シート２２が重ねられて構成された植栽マット２０と、折筋３６の方向が一致又は略一致するように植栽マット２０を両面から挟んで保持する一対の波形板３０、３１と、波形板３０に形成された孔３２から引き出された植栽シート２２で形成され植物が植栽される収容部と、を備えている。【選択図】図１
2020048453.tif 000002
【特許請求の範囲】
【請求項１】
複数の植栽シートが重ねられて構成された植栽マットと、
波の山の稜線方向が一致するように、前記植栽マットを両面から挟んで保持する一対の波形板と、
少なくとも一方の前記波形板に形成された孔から引き出された前記植栽シートで形成され、植物が植栽される収容部と、
を備える植栽基盤。 
【請求項２】
前記植栽シートは、シート状の多孔質体で構成されている、
請求項１に記載の植栽基盤。
【請求項３】
請求項1又は請求項２に記載の植栽基盤と、
波形板の波の山の稜線方向が横方向又は縦方向になるように前記植栽基盤を支持する支持手段と、
前記植栽基盤の前記植栽マットの上端部から潅水する潅水装置と、
を備えた緑化装置。
【発明の詳細な説明】
【技術分野】
【０００１】
本発明は、植栽基盤及び緑化装置に関する。
【背景技術】
【０００２】
特許文献１には、建物等の構造物の外壁面を緑化する壁面緑化装置に関する技術が開示されている。この先行技術では、ワイヤー等に登攀させた植物の外側に、植物を風及び日射から保護する保護板が配置されている。この保護板には、板厚方向に貫通する孔を有するとともに、断面山型形状に屈曲された山型形状部分を有する有孔折板で構成されている。
【先行技術文献】
【特許文献】
【０００３】
【特許文献１】特開２０１３−１５３６５７号公報
【発明の概要】
【発明が解決しようとする課題】
【０００４】
しかし、特許文献１の緑化技術は、プランターに植栽した植物をワイヤー等に登攀させた構造である。よって、風圧を受けるとワイヤー等が変形し植物が倒れてしまう虞がある。このため、この特許文献１の緑化技術では、保護板で植物に当たる風圧を抑制している。しかし、孔が形成された保護板越しに植物を見ることになるので、植物を十分に鑑賞することができない。したがって、風圧に耐える高い剛性を有する植栽基盤が求められている。
【０００５】
更に、特許文献１の緑化技術では、植栽する植物は、剛性の低いワイヤー等に茎部を長く伸長させて登攀する植物、主にツル植物に限られる。このため適用可能な植物種が制約され、意匠性の高い壁面緑化を形成することが難かしい。したがって、適用可能な植物種の制約が少ない高い剛性を有する植栽基盤が求められている。
【０００６】
本発明は、上記事実を鑑み、高い剛性を有する植栽基盤を提供することが、目的である。
【課題を解決するための手段】
【０００７】
第一態様は、複数の植栽シートが重ねられて構成された植栽マットと、波の山の稜線方向が一致するように、前記植栽マットを両面から挟んで保持する一対の波形板と、少なくとも一方の前記波形板に形成された孔から引き出された前記植栽シートで形成され、植物が植栽される収容部と、を備える植栽基盤である。
【０００８】
第一態様では、複数の植栽シートが重ねられて構成された植栽マットを両面から一対の波形板で挟んで一体化している。よって、植物をワイヤーに登攀させる場合と比較し、剛性の高い植栽基盤になる。
【０００９】
第二態様は、前記植栽シートは、シート状の多孔質体で構成されている、第一態様に記載の植栽基盤である。
【００１０】
第二態様では、植栽基盤の植栽マットを構成する植栽シートは、保水性及び排水性の両方が優れているシート状の多孔質体で構成されているので、植物の生育にとって水分条件や空気条件などの生育条件を好適に保つことができる。
【００１１】
第三態様は、第一態様又は第二態様に植栽基盤と、波形板の波の山の稜線方向が横方向又は縦方向になるように前記植栽基盤を支持する支持手段と、前記植栽基盤の前記植栽マットの上端部から潅水する潅水装置と、を備えた緑化装置である。
【００１２】
第三態様では、植栽基盤の植栽マットの上端部から潅水された水は、植栽マット内を重力によって流下する。よって、収容部に植栽された植物の根が、植栽マット内を伸長し、水を吸収する。
【００１３】
一方、植物の生育に必要とされない余剰水は、植栽マットの下端部から排水される。また、波形板は、空気への放熱面積が大きく、且つ波形板の周囲に乱流が発生することによる空気への熱の対流伝達速度が高くなる。よって、植栽基盤の温度上昇が抑えられる。したがって、植栽マット内は植栽された植物の生育にとって水分条件、空気条件及び温度条件などが好適に保たれる。
【発明の効果】
【００１４】
本発明によれば、高い剛性を有する植栽基盤を提供することができる。
【図面の簡単な説明】
【００１５】
【図１】植栽基盤の分解斜視図である。
【図２】緑化装置を表面から見た斜視図である。
【図３】緑化装置を裏面から見た斜視図である。
【図４】支持部材の斜視図である。
【図５】緑化装置の植栽基盤における収容部のＹ方向に沿った拡大断面図である。
【図６】収容部を形成する工程を（Ａ）から（Ｃ）に順番に示す工程図である。
【図７】潅水装置のブロック図である。
【発明を実施するための形態】
【００１６】
＜実施形態＞
次に本発明の一実施形態の植栽基盤及び緑化装置について説明する。なお、鉛直方向をＺ方向とし、左右方向をＸ方向とし、Ｚ方向とＸ方向とに直交する方向をＹ方向とする。なお、後述する植栽基盤１０の厚み方向（面外方向）がＹ方向である。また、Ｙ方向から見る場合を正面視とする。
【００１７】
［構造］
先ず、植栽基盤１０及び緑化装置１００の構造について説明する。
【００１８】
図１及び図５に示すように、植栽基盤１０は、植栽マット２０と、植栽マット２０の両面を挟んで保持する一対の波形板３０、３１と、を有している。
【００１９】
植栽マット２０は、複数、本実施形態では二枚の植栽シート２２が重ねられて構成されている。植栽マット２０を構成する植栽シート２２は、植物９０の根９２（図５参照）が進入可能（根９２をはることが可能）で、保水性及び吸水性の高い材料（フェルト、不織布、ウレタン、スポンジ、ヤシ繊維等）で構成された多孔質体をシート状に加工したものである。また、本実施形態の植栽シート２２は、飽和含水率８０％以上且つ飽和透水係数０．０５ｃｍ／ｓ以上の排水性能が高い多孔質体を用いている。
【００２０】
本実施形態の波形板３０、３１は、鋼板を波状に加工した折板である。また、本実施形態の波形板３０の折板形状は、面外方向（Ｙ方向）両側に交互に断面台形状が突出した形状である。なお、一対の波形板３０、３１の一方の波形板３０には、複数の植栽用の孔３２及び孔３４（図１参照）が形成されている。本実施形態の孔３２及び孔３４（図１参照）は、円形状で、波形板３０における台形波形状部分の凸面３１に孔３２が形成され、上面３３に孔３４（図１参照）が形成されている。孔３２、３４は、Ｘ方向に所定の間隔をあけて形成されている（図１参照）。
【００２１】
図１に示すように、植栽マット２０及び波形板３０、３１には、ボルト締結用の貫通孔４０、４１がＸ方向両側の辺部における上端部、上下方向中央部及び下端部に形成されている。なお、Ｘ方向両側の辺部における上下方向中央上側及び上下方向中央下側のボルト締結用の貫通孔４２、４３は、後述する支持部材１１０（図２、図３及び図４参照）に植栽基盤１０を固定するためのものである。
【００２２】
折筋３６の方向が一致するように一対の波形板３０、３１が植栽マット２０のＹ方向の両側に配置され且つ波形板３０、３１の間に筒状のスペーサ４７が配置された状態で、スペーサ４７及び貫通孔４０、４１にボルト４６が挿通され、ナット４８で締結されることで、植栽マット２０と波形板３０、３１とが一体化され、植栽基盤１０となる（図２も参照）。
【００２３】
なお、図１では図が煩雑になるのを避けるため、スペーサ４７、ボルト４６及びナット４８は、一組のみ図示している。実際は、貫通孔４０、４１毎（本実施形態では四箇所）にスペーサ４７、ボルト４６及びナット４８で締結されている。
【００２４】
また、本実施形態では、図５に示すように、波形板３０と波形板３１との隙間が一定になるように、波形板３０の波形状の方が波形板３１よりも大きくなっている。よって、両板の折筋３６は、Ｙ方向から透視した場合、両者は上下方向にずれている。
【００２５】
図２及び図３に示すように、緑化装置１００は、前述した植栽マット２０（図２参照）と波形板３０とがボルト締結されて一体化された植栽基盤１０（図１も参照）と、支持部材１１０（図４も参照）と、潅水装置２００（図７も参照）と、を備えている。
【００２６】
図４に示すように、支持部材１１０は、断面矩形筒状の支柱部１１２と、平面視Ｌ字状の取付部１１４と、を有している。取付部１１４は、支柱部１１２の内側面１１２Ａに、上下方向に間隔をあけて接合されている。
【００２７】
図２及び図３に示すように、支持部材１１０は、折筋３６の方向が左右方向（Ｘ方向）に沿うように設置した植栽基盤１０のＸ方向両側（左右）に設けられ、取付部１１４に植栽基盤１０の前述した貫通孔４２、４３（図１参照）にボルト４６（図２参照）を挿通し、ナット４８（図３参照）で締結することで、植栽基盤１０を鉛直又は略鉛直方向に支持している。
【００２８】
図７に示すように、潅水装置２００は、外周面２０２Ａに複数の孔２０４が形成された筒状のホース２０２と、ポンプ２１０と、ホース２０２とポンプ２１０とを繋ぐチューブ２１２と、ポンプ２１０に電気的に接続されポンプ２１０を制御する制御部２１４と、を有している。
【００２９】
図２及び図３に示すように、潅水装置２００のホース２０２は、植栽基盤１０の植栽マット２０の上端の上にＸ方向に沿って配置されている。
【００３０】
図７に示す制御部２１４は、定期的に予め定めた量の水がホース２０２に供給されるように、ポンプ２１０を制御する。そして、ホース２０２に水が供給されると、各孔２０４から水が吐出し、図１及び図２に示す植栽マット２０（植栽シート２２）に浸透する。つまり、植栽マット２０（植栽シート２２）に灌水される。なお、本実施形態では、肥料入りの水を吐出（灌水）させている（液肥潅水）。
【００３１】
図２及び図５に示すように、植栽基盤１０の一方の波形板３０の孔３２から植栽シート２２が引き出されて突出し、植物９０が植栽される上部が開口した収容部５０が形成されている。なお、図２では一箇所の孔３２のみに収容部５０が形成されているが、これに限定されない。複数の孔３２に収容部５０を形成してもよい。更に、孔３４に収容部を形成してもよい。
【００３２】
（収容部の形成方法）
次に、収容部５０の形成方法の一例について、図６を用いて説明する。
【００３３】
図６（Ａ）に示すように、植栽基盤１０の一方の波形板３０の孔３２から植栽シート２２に水平方向の切目５２を入れる。図６（Ｂ）に示すように、孔３２から突出するように植栽シート２２における切目５２の下側の部位を引き出し、上部が開口した収容部５０を形成する。図６（Ｃ）に示すように、収容部５０に植物９０を植栽する。
【００３４】
図５に示すように、収容部５０に植栽された植物９０は、植栽マット２０（植栽シート２２）に根９２をはる。
【００３５】
［作用及び効果］
次に、本実施形態の作用及び効果について説明する。
【００３６】
本実施形態の植栽基盤１０は、複数（本実施形態では二枚）の植栽シート２２が重ねられて構成された植栽マット２０を両面から一対の波形板３０、３１で挟んで一体化した構成となっている。よって、植物をワイヤーに登攀させる場合と比較し、剛性の高い植栽基盤１０になる。したがって、風圧による植栽基盤１０の湾曲が抑制される。
【００３７】
また、植栽基盤１０の高剛性化による耐荷重性能の向上によって、植栽基盤１０を支持する支持部材１１０の簡略化が可能になる。これにより、部品点数の削減、コスト削減、施工性向上及び意匠性向上等を図ることが可能になる。
【００３８】
更に、植栽基盤１０を高剛性化することで、植栽基盤１０の植物９０の保持能力が向上する。よって、植栽基盤１０に植栽することが可能な植物９０の種類が増加する。
【００３９】
また、植栽基盤１０の外面を構成する波形板３０は、空気への放熱面積が大きく、また、波形板３０、３１の周囲に乱流が発生することによる空気への熱の対流伝達速度が高くなる。よって、植栽基盤１０（特に植栽マット２０）の温度上昇が抑えられる。
【００４０】
また、植栽マット２０を構成する植栽シート２２は、保水性及び排水性の両方が優れているシート状の多孔質体で構成されているので、植物９０の生育にとって水分条件や空気条件などの生育条件を好適に保つことができる。
【００４１】
更に、植栽基盤１０の植栽マット２０の上端から潅水された水は、植栽マット２０内を重力によって流下する。よって、植栽マット２０にはられた植物９０の根９２が水を吸収する。一方、植物９０の生育に必要とされない余剰水は、植栽マット２０の下端部から排水される。
【００４２】
したがって、植栽マット２０内は植栽された植物９０の生育にとって水分条件、空気条件及び温度条件などが好適に保たれる。
【００４３】
＜その他＞
尚、本発明は上記実施形態に限定されない。
【００４４】
例えば、上記実施形態では、植栽基盤１０は、正面視で波形板３０、３１の折筋３６が左右方向（Ｘ方向）に沿って設置したが、これに限定されない。正面視で波形板３０、３１の折筋３６が上下方向（Ｚ方向）に沿って設置してもよい。
【００４５】
また、例えば、上記実施形態では、植栽基盤１０は、鉛直（Ｚ方向）又は略鉛直方向に沿って設置したが、これに限定されない。例えば、植栽基盤１０を地面に対して傾斜させて設置してもよい。
【００４６】
更に、壁面に植栽基盤１０を固定し、壁面を緑化してもよい。なお、植栽基盤１０は高剛性であるので、大きな風圧力がかかる高層ビルの壁面に固定することができる。
【００４７】
また、例えば、上記実施形態では、植栽基盤１０は、一方の波形板３０にのみ孔３２、３４が形成され、一面にのみ植物９０が植栽されていたが、これに限定されない。両方の波形板３０、３１に孔３２、３４が形成され、両面に植物９０が植栽されてもよい。
【００４８】
また、例えば、上記実施形態では、波形板３０、３１は折板で、断面台形状であったが、これに限定されない。例えば、波形板は、断面三角形状の折板であってもよいし、折筋がない断面半円形状の波形であってもよい。
【００４９】
また、植栽マット２０と波形板３０、３１との間に防水シートが挟まれていてもよい。なお、防水シートが挟まれている場合、防水シートにも切目５２をいれて、植栽シート２２と一緒に引き出して収容部５０を形成する。また、防水シートは、ゴムやビニール等の水分蒸発防止機能を有する材料が使用される。更に、防水シートは、水分蒸発防止機能に加え、遮熱性や不燃性を有すると共に耐候性に優れた材料、例えば加硫ゴム系のシートを使用してもよい。
【００５０】
また、植栽基盤１０の下に植栽マット２０の下端部から排水された余剰水を受ける樋部材が設けられていてもよい。
【００５１】
更に、本発明の要旨を逸脱しない範囲において種々なる態様で実施し得る。
【符号の説明】
【００５２】
１０      植栽基盤
２２      植栽シート
２０      植栽マット
３０      波形板
３１      波形板
３６      折筋（波の山の稜線の一例）
３２      孔
３４      孔
５０      収容部
１００      緑化装置
１１０      支持部材（支持手段の一例）
２００      潅水装置
【図１】
2020048453.tif 000003
【図２】
2020048453.tif 000004
【図３】
2020048453.tif 000005
【図４】
2020048453.tif 000006
【図５】
2020048453.tif 000007
【図６】
2020048453.tif 000008
【図７】
2020048453.tif 000009